(57)【要約】      （修正有）【課題】手間をかけずに家畜やペットに投与する点滴液などの輸液を加温することができる動物用輸液加温装置を提供する。【解決手段】輸液容器及び／又は該輸液容器に接続された輸液チューブに装着されて、これらを収容するハウジングと、前記ハウジングに設けられている電熱ヒーターとを備える。【選択図】図２
0003224998.tif 000002
【実用新案登録請求の範囲】
【請求項１】
輸液容器及び／又は該輸液容器に接続された輸液チューブに装着されて、これらを収容するハウジングと、
前記ハウジングに設けられている電熱ヒーターとを備える動物用輸液加温装置。
【請求項２】
前記ハウジングが、前記輸液容器及び／又は前記輸液チューブの側面に巻き付けるように装着されるものである請求項１記載の動物用輸液加温装置。
【請求項３】
前記ハウジングが、前記輸液容器及び／又は前記輸液チューブに対して、ファスナーの開閉によって着脱可能なものである請求項１又は２記載の動物用輸液加温装置。
【請求項４】
前記ハウジングに、前記輸液容器の一部又は全部を外から見ることができる窓が形成されている請求項１乃至３のいずれか一項に記載の動物用輸液加温装置。
【請求項５】
前記電熱ヒーターを制御する制御ボタンをさらに備え、前記制御ボタンが前記電熱ヒーターの作動中に点灯する請求項１乃至４のいずれか一項に記載の動物用輸液加温装置。
【請求項６】
前記制御ボタンが、前記電熱ヒーターの設定温度を制御するものであり、前記設定温度によって前記制御ボタンの発光色又は点灯パターンが変化する請求項５記載の動物用輸液加温装置。
【請求項７】
前記ハウジングが布からなるものであり、前記電熱ヒーターがマイクロカーボンファイバーからなるものである請求項１乃至６のいずれか一項に記載の動物用輸液加温装置。
【請求項８】
前記電熱ヒーターの電源として充電池を備えている請求項１乃至７のいずれか一項に記載の動物用輸液加温装置。
【請求項９】
前記電熱ヒーターの温度を多段階に設定できる請求項１乃至８のいずれか一項に記載の動物用輸液加温装置。
【考案の詳細な説明】
【技術分野】
【０００１】
本考案は、動物用輸液加温装置に関するものである。
【背景技術】
【０００２】
例えば、牧場や野原などの外気に露出し風雨に曝される低温の条件でペットや家畜などの動物に、点滴注射液などの輸液を冷たいまま投与すると、低温ショックなどによって動物の体力が奪われてしまう恐れがある。
【０００３】
そこで、例えば、特許文献１に示すように、輸液ボトルを収容するハウジングの内部にカイロなどの熱源を設けて、輸液を直接的に温める装置が考えられている。
【０００４】
しかしながら、このような従来の加温装置では、熱源が冷えたら交換する必要があるので、人が頻繁に触って熱源の温度を確認したり、熱源を頻繁に交換したりするなどの手間がかかる。
【先行技術文献】
【特許文献】
【０００５】
【特許文献１】特許第５３６６９４５号
【考案の概要】
【考案が解決しようとする課題】
【０００６】
本考案は、前述したような問題に鑑みてなされたものであり、手間をかけずに家畜やペットに投与する点滴液などの輸液を加温することができる動物用輸液加温装置を提供することを主な目的とするものである。
【課題を解決するための手段】
【０００７】
すなわち、本考案に係る動物用輸液加温装置は、内部に輸液を封入してある輸液容器及び／又は前記輸液容器に接続された輸液チューブに装着されて、これらを収容するハウジングと、前記ハウジングに設けられている電熱ヒーターとを備えることを特徴とするものである。
【０００８】
このような動物用輸液加温装置によれば、電熱ヒーターによって輸液を加温するので、熱源の温度を頻繁に確認したり、熱源を頻繁に交換したりする手間を省くことができる。
【０００９】
前記ハウジングが、前記輸液容器及び／又は前記輸液チューブの側面に巻き付けるように装着されるものであれば、輸液を開始した後からでも、輸液容器及び／又は前記輸液チューブに前記ハウジングを装着して輸液を加温することができる。そのため、輸液開始後に、獣医師ではない飼育者などが必要に応じて前記ハウジングを装着して輸液の加温を開始することも可能である。
【００１０】
前記ハウジングが、前記輸液容器及び／又は前記輸液チューブに対して、ファスナーの開閉によって着脱可能なものであれば、簡単な操作で前記ハウジングを装着することができる。
【００１１】
前記ハウジングに、前記輸液容器の一部又は全部を外から見ることができる窓が形成されていれば、前記ハウジングを装着した状態で、前記輸液容器の中身や残量などを確認することができる。
【００１２】
前記電熱ヒーターを制御する制御ボタンをさらに備え、前記制御ボタンが前記電熱ヒーターの作動中に点灯するものであれば、前記電熱ヒーターが動作しているかどうかを離れたところからでも確認することができる。
【００１３】
前記制御ボタンが、前記電熱ヒーターの設定温度を制御するものであり、前記設定温度によって前記制御ボタンの発光色又は点灯パターンが変化するものであれば、前記電熱ヒーターの温度を人が触って確かめなくても簡単に知ることができる。
【００１４】
前記ハウジングが布からなるものであり、前記電熱ヒーターがマイクロカーボンファイバーからなるものであれば、洗濯に対する耐久性を有するので、前記ハウジングが汚れてしまったとしても洗濯して清潔に保つことができる。
【００１５】
前記電熱ヒーターの電源として充電池を備えているものであれば、前記電熱ヒーターの電源を外部から接続する必要がないので、外部から電源を取ることが難しい場所であっても問題なく使用することができる。
【００１６】
前記電熱ヒーターの温度を多段階に設定できるものであれば、輸液を受ける動物の体温や気温などに合わせて前記電熱ヒーターの温度をより適切な温度に設定することができる。
【考案の効果】
【００１７】
本考案に係る動物用輸液加温装置によれば、低温条件で使用する場合であっても、熱源の温度を頻繁に確認したり、熱源を頻繁に交換したりする手間を省くことができる。
【図面の簡単な説明】
【００１８】
【図１】本考案の一実施形態に係る動物用輸液加温装置の装着例を示す模式図。
【図２】本実施形態に係る動物用輸液加温装置のスライドファスナーを開いた場合の正面模式図。
【図３】本実施形態に係る動物用輸液加温装置のスライドファスナーを閉じた場合の正面摸式図。
【図４】本実施形態に係る動物用輸液加温装置の背面摸式図。
【考案を実施するための形態】
【００１９】
以下に、本考案の一実施形態に係る動物用輸液加温装置１００について各図を参照しながら説明する。
【００２０】
本実施形態に係る動物用輸液加温装置１００は、例えば、図１に示すように、空調設備のない野外等、低温条件で動物に投与される輸液を加温するものであり、内部に輸液を封入してある輸液容器Ａ及び該輸液容器Ａに接続された輸液チューブＢに装着されて、これらを収容するハウジング１と、該ハウジング１に設けられた熱源２とを備えるものである。
本願明細書中で輸液とは、例えば、ペットや家畜などの動物に投与される非経口製剤や輸血用の血液などの液体医薬品のことを指す。
また、輸液容器Ａは、特に限定されるものではないが、例えば、５０ｍｌ以上、より好ましくは５００ｍｌ以上の輸液を封入するガラスやプラスチック等からなるボトルやバッグ等であり、内部の輸液を前記輸液チューブＢに送出するために針によって貫くことができる口栓部Ａ１を有するものである。
【００２１】
前記ハウジング１は、保温性や断熱性に優れ、かつ可撓性を有する素材で形成されたものであり、例えば、ポリエステルなどの伸縮性のある布地で形成された表地と裏地とを縫い合わせた生地によって形成されたものである。
具体的には、本実施形態に係る前記ハウジング１は、例えば、図１〜３に示すように、輸液容器Ａを収容する輸液容器ハウジング１１と、輸液チューブＢを収容する輸液チューブハウジング１２とを備えるものである。
【００２２】
前記輸液容器ハウジング１１は、輸液容器Ａの側面を覆うものであり、例えば、高さが３０ｃｍ以上４０ｃｍ以下であり、内径が５ｃｍ以上２０ｃｍ以下の円筒状のものである。
この輸液容器ハウジング１１の一方の端には、前記輸液容器Ａの口栓部Ａ１を外部に露出させる口栓部露出口１１ａが設けられている。前記口栓部露出口１１ａは、もう一方の端に形成されている開口１１ｂよりも小さい径になるようにしてある。
すなわち、前記輸液容器ハウジング１１は、前記口栓部露出口１１ａに向けて徐々にその径が小さくなるように構成されている。
前記口栓部露出口１１ａに対向する前記開口１１ｂは、そのまま開放されていても良いが、本実施形態では、前記開口１１ｂの部分の端を輸液容器Ａの外表面に密着させて輸液容器ハウジング１１内部の熱が外に逃げにくいようにするために、面ファスナー１１１によって前記開口１１ｂを閉じるようにしてある。
【００２３】
本実施形態では、該輸液容器ハウジング１１を装着した状態で、内部の輸液容器Ａに記載された薬品名や薬液の残量などを確認することができるように、前記輸液容器ハウジング１１に前記輸液容器Ａの一部又は全部を外から見ることができる窓３が形成されている。この窓３には、輸液容器ハウジング１１内の熱が外部に逃げること防ぐために、透明の樹脂シートなどがはめ込まれている。
【００２４】
前記輸液チューブハウジング１２は、輸液チューブＢの側面の一部又は全部を覆うものであり、例えば、長さが５０ｃｍ以上１５０ｃｍ以下であり、内径が０．５ｃｍ以上２ｃｍ以下の円筒状のものである。
【００２５】
これら輸液容器ハウジング１１と、輸液チューブハウジング１２とは、本実施形態では、これらが軸方向に接続されて一体に形成されている。
また、これら輸液容器ハウジング１１及び輸液チューブハウジング１２は、図２に示すように、その側面に軸方向に沿って設けられたスライドファスナー１１２を開けることで、全体を開いて帯状にすることができるように構成されている。
【００２６】
しかして、本実施形態においては、前記熱源２として電熱ヒーター２を使用している。
前記電熱ヒーター２は、前記輸液容器Ａ及び前記輸液チューブＢを加温するものであり、例えば、図２に示すように、前記ハウジング１の内部に埋設されている電熱線２１などである。
【００２７】
前記電熱線２１は、マイクロカーボンファイバーを多数束ねて形成されたものであり、前記ハウジング１全体が温まるように、前記輸液容器ハウジング１１及び前記輸液チューブハウジング１２の表地と裏地の間に、これらの長さ方向又は幅方向に往復しながら蛇行するように接着剤等を用いて配設されている。
【００２８】
本実施形態に係る動物用輸液加温装置１００は、図１〜３に示すように、前記電熱ヒーター２を制御する制御ボタン４をさらに備える。
前記制御ボタン４は、シリコーンなどの合成樹脂からなる変形・復元が可能な筐体と、該筐体の内部に収容されているスイッチ基板とを備えるものである。
前記筐体は、前記ハウジング１の表地の表面に取り付けられており、該筐体内部に水が浸入しないように構成されているものである。
前記スイッチ基板は、例えば、図２に示すように、電源５と前記電熱線２１とを接続する前記導電線５２に接続されており、前記電源５から前記電熱線２１に流れる電流のオン／オフや前記電熱線２１の発熱量を制御するように構成してある。
【００２９】
具体的には、例えば、前記筐体を指などで外側から数秒間長押しすることによって、前記スイッチ基板が押圧され、前記電源５から前記電熱線２１に電流を供給する又は前記電源５から前記電熱線２１への電流を遮断するようにしてある。
また、前記電源５から前記電熱線２１に電流が供給されている状態において、前記筐体を押すことにより、押圧回数によって前記スイッチ基板が前記電源５から前記電熱線２１に供給される電流の大きさを強・中・弱等と段階的に調節し、前記電熱線２１の発熱量を調節できるようにしてある。
【００３０】
本実施形態においては、前記制御ボタン４が、前記筐体の内部に収納された、例えば、ＬＥＤ等の光源をさらに備えており、前記電源５から前記電熱線２１に電流が供給されている間、前記光源が点灯するようにしてある。
【００３１】
また、前述したように前記制御ボタン４が、前記電源５から前記電熱線２１に供給される電流の大きさを段階的に調節する場合には、前記電流の大きさに応じて、前記光源の発光色や発光パターンを変えるようにしてある。
【００３２】
本実施形態に係る動物用輸液加温装置１００は、前記電熱ヒーター２の電源５として充電池５をさらに備えている。
前記充電池５は、例えば、リチウムイオン電池（７．４Ｖ、約５００回充電可能）であり、例えば、図４に示すように、前記ハウジング１に形成された電池用ポケット５１内に収納されている。このリチウムイオン電池は、導電線５２を介して前記電熱線２１と接続されるようにしてある。また、前記導電線５２との接続は、着脱が可能なように構成してある。
本実施形態では、このリチウムイオン電池を１つ備えるようにしている。
【００３３】
次に、本実施形態に係る動物用輸液加温装置１００の使用方法について説明する。
前記動物用輸液加温装置１００は、例えば、前記スライドファスナー１１２を全開し、全体を帯状にした前記輸液容器ハウジング１１及び前記輸液チューブハウジング１２を輸液容器Ａ及び輸液チューブＢの側面に巻き付けるようにしてから、前記スライドファスナー１１２を閉じることによって装着する。
次に、前記開口１１ｂを面ファスナー１１１によって閉じる。
このようにして前記ハウジング１を装着した後、前記制御ボタン４を押して、前記電熱線２１に通電を開始し、輸液の加温を開始する。
前記電熱線２１への通電を遮断して、輸液の加温を停止したい場合には、前記制御ボタン４を数秒間長押しすれば、加温を停止することができる。
前記輸液容器Ａ及び前記輸液チューブＢから、前記輸液容器ハウジング１１及び前記輸液チューブハウジング１２を外す場合は、前記スライドファスナー１１２を全開にして、前記輸液容器ハウジング１１及び前記輸液チューブハウジング１２を帯状に戻してから外す。
【００３４】
このように構成した動物用輸液加温装置１００によれば、例えば、電熱ヒーター２によって輸液を加温するので、熱源２がカイロなどである場合に低温の外気によってカイロ等の反応熱が奪われて予定よりも早く温度が下がっていないかを頻繁に触って確認したり、カイロ等を頻繁に交換したりする手間を省くことができる。
【００３５】
前記ハウジング１の内側全面が温まるように電熱線２１が設けられているので、輸液容器Ａ内の輸液だけでなく、輸液チューブＢ内を流れる輸液も加温することができる。その結果、人間の輸液に比べて１つの輸液容器Ａに封入されている輸液の量が多い動物用の輸液であっても、適切な温度まで加温することができる。
【００３６】
輸液容器Ａ及び輸液チューブＢの側面から、帯状の前記輸液容器ハウジング１１及び前記輸液チューブハウジング１２を巻き付けるようにして装着するので、獣医師などが動物への輸液を開始した後であっても、輸液を続けたまま、前記動物用輸液加温装置１００を取り付けて輸液の加温を開始することができる。
そのため、飼育者など医療行為に対する資格を有さない者であっても、気温の変化や動物の体調の変化などに応じて、輸液の加温を開始することができる。
【００３７】
前記輸液ハウジング及び前記輸液チューブハウジング１２は、側面に設けられたスライドファスナー１１２の開閉によって輸液容器Ａ及び輸液チューブＢに脱着可能であるので、手軽に前記動物用輸液加温装置１００を取り付けて輸液の加温を開始することができる。
【００３８】
前記制御ボタン４が前記電熱ヒーター２の作動中に点灯するので、前記電熱ヒーター２が作動しているかどうかを離れたところからでも確認することができる。
【００３９】
また、前記電熱ヒーター２の前記発熱量によって前記制御ボタン４の発光色又は点灯パターンを変化させることができるので、前記電熱ヒーター２の温度を人が触って確かめなくても、前記電熱ヒーター２の設定温度を知ることができる。
その結果、そのときの動物の体調や気温などの条件に合った温度設定になっているかどうかを、離れたところからでも簡単に確認することができる。
【００４０】
前記制御ボタン４の押圧回数によって前記電熱ヒーター２の発熱量を多段階に設定できるので、気温や動物の体調に合わせて前記電熱ヒーター２の発熱量を適切な値に設定することができる。
体温調節が未熟な仔牛等の場合には、輸液の温度が命に関わることもあり、温度の管理が非常に重要であるので、特に顕著な効果を奏することができる。
また、輸液を加温することによって薬剤の吸収率を向上させる目的や、輸液の凍結又は流動性の低下を抑えるという目的等、目的によって温度を設定することもできる。
【００４１】
電源５としてリチウムイオン電池を使用しているので、前記電熱ヒーター２の電源５を外部から接続する必要がなく、外部電源５に接続しにくい場所であっても輸液を加温することができる。
前述したリチウムイオン電池を使用すれば、前記電熱線２１の発熱量を十分保ったまま、電池１つ当たり４時間程度継続使用できる。
【００４２】
前記電源５であるリチウムイオン電池は着脱可能であるので、洗濯時や充電時には取り外すことができる。
前記電源５を取り外せば、洗濯ができるので清潔である。
また、前記電熱線２１が、マイクロカーボンファイバーからなるものである洗濯に対する耐久性が高い。
【００４３】
本考案に係る動物用輸液加温装置は、前述したものに限られない。
例えば、前記輸液容器ハウジングや前記輸液チューブハウジングは、スライドファスナー等で全開できるようにしてあるものに限らず、側面の一部のみが開くようにしても良いし、スライドファスナーを設けず常に筒状のものにしても良い。
前記輸液容器ハウジングや前記輸液チューブハウジングの大きさは、特に限定されるものではなく、内部に収容する輸液容器や輸液チューブのサイズによって適宜変更することができる。
【００４４】
また、前記輸液容器ハウジングや前記輸液チューブハウジングの形状は、円筒形状の場合を記載したが、これらハウジングは柔らかい布地で形成されているので、円筒形状に限られず、内部に収容する輸液容器や輸液チューブの形状に応じて変形することが可能である。
【００４５】
前記輸液容器の開口は、面ファスナーで閉じるものに限らず、例えば、開口に紐等を取り付けて紐を引き絞ることによって閉じるようにしても良い。
【００４６】
前記熱源は、マイクロカーボンファイバーからなる電熱線を備えたヒーターに限らず、他の素材からなる電熱線を備えたヒーター等でも良いし、電気的に発熱する他の発熱装置であっても良い。
【００４７】
前記電源は、リチウムイオン電池に限らず、前記発熱部３に電源５を供給できるものであればよい。また、前記充電池の数は、１つに限らず、２つでもよいし、３つ以上備えていても良い。
【００４８】
その他、本考案の趣旨に反しない限りにおいて、種々の変形や実施形態の組合せを行ってもかまわない。
【符号の説明】
【００４９】
１００・・・動物用輸液加温装置
１    ・・・ハウジング
２    ・・・熱源（電熱ヒーター）
３    ・・・窓
４    ・・・制御ボタン
５    ・・・電源（充電池）
Ａ    ・・・輸液容器
Ｂ    ・・・輸液チューブ
【図１】
0003224998.tif 000003
【図２】
0003224998.tif 000004
【図３】
0003224998.tif 000005
【図４】
0003224998.tif 000006